(57)【要約】      （修正有）【課題】容易にその時その場に相応しいデザインができる鞄やペーパー・バッグ、トランク、スーツケース、ザッグ、ウエストバッグを提供する。【解決手段】鞄に絵画や写真の額縁状ポケット１に、絵や写真やＣＭやメッセージ等の挿入シート２を入れ替えすることで、容易にその時その場に相応しい鞄、バッグ、トランク、スーツケース、ザッグ、ウエストバッグとする。【選択図】図１
0003120551.tif 000002
【実用新案登録請求の範囲】
【請求項１】
布製、レーザー製の鞄やバッグにその時その場に相応しいデザインの絵や写真やＣＭやメッセージ等の容易に入れ替えできるもので、鞄の正面又は側面に額縁状枠内に透明なフイルムを張った額縁状ポケット１に、絵や写真やＣＭやメッセージ等の挿入シート２の入れ替えと封止ができる様にしたバッグ。
【請求項２】
ペーパー・バッグにその時その場に相応しいデザイン絵や写真やＣＭやメッセージ等の容易に入れ替えできるもので、ペーパー・バッグの正面又は側面に額縁状枠を持ち枠内に透明なフイルムを張った額縁状ポケット１に、絵や写真やＣＭやメッセージ等の挿入シート２の入れ替えと封止ができる様にしたペーパー・バッグ。
【請求項３】
トランクや旅行用バスケットやキャスター付スーツケースにその時その場に相応しいデザインの絵や写真やＣＭやメッセージ等の容易に入れ替えできるもので、トランク等の正面又は側面に額縁状枠内に透明なフイルムを張った額縁状ポケット１に、絵や写真やＣＭやメッセージ等の挿入シート２の入れ替えと封止ができる様にした旅行用トランクやスーツケース。
【請求項４】
ザッグやキスリングにその時その場に相応しいデザインの絵や写真やＣＭやメッセージ等の容易に入れ替えできるもので、ザッグ等の正面又は側面に額縁状枠内に透明なフイルムを張った額縁状ポケット１に、絵や写真やＣＭやメッセージ等の挿入シート２の入れ替えと封止ができる様にしたザッグやキスリング。
【請求項５】
ウエストバッグにその時その場に相応しいデザインの絵や写真やＣＭやメッセージ等の容易に入れ替えできるもので、ウエストバッグの正面又は側面に額縁状枠内に透明なフイルムを張った額縁状ポケット１に、絵や写真やＣＭやメッセージ等の挿入シート２の入れ替えと封止ができる様にしたウエストバッグ。
【考案の詳細な説明】
【考案の詳細な説明】
【考案に属する技術分野】
【０００１】本考案は鞄、バッグ、トランク、スーツケース、ザッグ、ウエストバッグ等の鞄や袋類に関するものである。
【背景技術】
【０００２】従来の鞄やペーパー・バッグ等は様々なデザインがされているが、例えば旅行先、観光地の季節毎に変わる風景に合せてその都度  最も相応しくデザインする事も、団体旅行で目的地に合せて統一デザインする事も、個人の鞄に個性豊かにアクセントをつけるデザインする事も、お店の自慢の品々の季節毎に準備する事も容易には出来なかった。
【考案が解決しようとする課題】
【０００３】容易にその時その場に相応しいデザインができる鞄やペーパー・バッグ、トランク、スーツケース、ザッグ、ウエストバッグを課題とする。
【考案が解決するための手段】
【０００４】鞄に絵画や写真の額縁状ポケットに、絵や写真やＣＭやメッセージ等の挿入シートを入れ替えすることで、容易にその時その場に相応しい鞄、バッグ、トランク、スーツケース、ザッグ、ウエストバッグとする。
【考案を実施するための最良の形態】
【０００５】鞄には鞄に相応しい額縁状のポケットを付与し、ペーパー・バッグにはペーパー・バッグに相応しい額縁状のポケットを付与し、トランクにはトランクに相応しい額縁状のポケットを、ザッグには、ザッグに相応しい額縁状のポケットを、ウエストバッグにはウエストバッグ相応しい額縁状のポケットを付与して、適宜  挿入シートの入れ替えをして容易にその時その場に相応しい鞄やペーパー・バッグ等とする。
【実施例】
【０００６】図１は本考案の請求項１に関する実施例で、布製、レーザー製の鞄やバッグに、額縁上の中に絵や写真やＣＭやメッセージ等の容易に入れ替えできるもので、鞄の正面又は側面に額縁状に見える印刷による枠や、刺繍リボンによる枠と枠内に透明なフイルムを張った額縁状ポケット１を付ける。  この額縁状ポケットは服飾で通常行われているポケットを適用し、挿入する方向は上下、左右、斜とし、フラップ（雨蓋）ポケットの様にポケットに透明フイルムのフラップを付すこともできる。  そして、絵や写真やＣＭやメッセージ等の挿入シート２を出し入れ出来るバッグである。
【実施例】
【０００７】図２は本考案の請求項２に関する実施例で、ペーパー・バッグに、額縁上の中に絵や写真やＣＭやメッセージ等の容易に入れ替えできるもので、バッグの正面又は側面に額縁状に見える印刷による枠を設け、枠内に透明なフイルムを張った額縁状ポケット１を付ける。  この額縁状ポケットは通常の袋を適用し、挿入する方向は上下、左右、斜とし、フラップ（雨蓋）ポケットの様にポケットに透明フイルムのフラップを付すこともできる。  そして、絵や写真やＣＭやメッセージ等の挿入シート２を出し入れ出来るペーパー・バッグである。
【請求項３】
【０００８】図３と図４は本考案の請求項３に関する実施例で、トランク、旅行用バスケット、キャスター付スーツケースにその時その場に相応しいアクセントを付与するもので、トランクの正面又は側面に額縁状に見える印刷による枠や、刺繍リボンによる枠と枠内に透明なフイルムを張った額縁状ポケット１を付ける。  この額縁状ポケットは服飾で通常行われているポケットを適用し、挿入する方向は上下、左右、斜とし、フラップ（雨蓋）ポケットの様にポケットに透明フイルムのフラップを付すこともできる。  そして、絵や写真やＣＭやメッセージ等の挿入シート２を出し入れ出来る様にしたトランク旅行用バスケット、キャスター付スーツケースである。
【実施例４】
【０００９】  図４は本考案の請求項４に関する実施例で、ザッグやキスリングにその時その場に相応しいデザインの絵や写真やＣＭやメッセージ等の容易に入れ替えできるもので、正面又は側面に額縁状に見える印刷による枠や、刺繍リボンによる枠と枠内に透明なフイルムを張った額縁状ポケット１を付ける。  この額縁状ポケットは服飾で通常行われているポケットを適用し、挿入する方向は上下、左右、斜とし、フラップ（雨蓋）ポケットの様にポケットに透明フイルムのフラップを付すこともできる。そして、絵や写真やＣＭやメッセージ等の挿入シート２を出し入れ出来る様にしたザッグやキスリングである。
【実施例５】
【０００１０】図５は本考案の請求項５に関する実施例で、ウエストバッグにその時その場に相応しいデザインの絵や写真やＣＭやメッセージ等の容易に入れ替えできるもので、正面又は側面に額縁状に見える印刷による枠や、刺繍リボンによる枠と枠内に透明なフイルムを張った額縁状ポケット１を付ける。  この額縁状ポケットは服飾で通常行われているポケットを適用し、挿入する方向は上下、左右とし、フラップ（雨蓋）ポケットの様にポケットに透明フイルムのフラップを付すこともできる。  そして、絵や写真やＣＭやメッセージ等の挿入シート２を出し入れ出来る様にしたウエストバッグである。
【考案の効果】
【０００１１】鞄には、鞄に相応しい額縁状ポケットを、ザッグには、ザッグに相応しい額縁状のポケットを、ウエストバッグにはウエストバッグ相応しい額縁状のポケットを付与して、適宜  挿入シートの入れ替えをして容易にその時その場に相応しい鞄やペーパー・バッグや旅行用鞄、ザッグ、サイドバッグ等の模様替えが容易に出来る。
【図面の簡単な説明】
【図１】布製、レーザー製の鞄やバッグの説明図である。（実施例１）
【図２】ペーパー・バッグの説明図である。（実施例２）
【図３】トランク、旅行用バスケットの実施例の説明図である。（実施例３）
【図４】キャスター付スーツケースの実施例の説明図である。（実施例３）
【図５】ザッグやキスリングの実施例の説明図である。（実施例４）
【図６】ウエストバッグの実施例の説明図である。（実施例５）
【符号の説明】
１  額縁状ポケット
２  挿入紙
【図１】
0003120551.tif 000003
【図２】
0003120551.tif 000004
【図３】
0003120551.tif 000005
【図４】
0003120551.tif 000006
【図５】
0003120551.tif 000007
【図６】
0003120551.tif 000008